(57)【特許請求の範囲】
【請求項１】
吸収性物品であって、吸収性セクション（２）を具備し、該吸収性セクションは第１及び第２の端部分（２ｂ，２ｃ）とそれらの間に中央部分（２ａ）とを有し、
該吸収性セクション（２）に取り付けられた腰ベルト（３）を具備し、該腰ベルトは該吸収性物品の着用者の周りに互いに固定するために吸収性セクション（２）の第１端部分（２ｂ）の左右各側に取り付けられた第１及び第２ベルト部分（７，８）を有し、該吸収性セクション（２）の第２端部分（２ｃ）は該吸収性セクションの第２端部分を該腰ベルトに固定するための締め具装置（１２，１３）を含み；
該吸収性セクション（２）の第１及び第２端部分（２ｂ，２ｃ）の衣類面側は、左右全体にわたり該腰ベルト（３）とほぼ同じ幅の視覚合図部分（１５、１８）を有し、
該視覚合図部分（１５、１８）は、互いに同じ視覚的外観になるように、着色され、模様が施され、又はテクスチャー加工されており、かつ、該視覚的外観は、該吸収性セクションの中央部分（２ａ）とは異なる視覚的外観であり、
該腰ベルト（３）の衣類面側は、該視覚合図部分（１５、１８）と同じ視覚的外観を有するように、着色され、模様が施され、又はテクスチャー加工されていることを特徴とする吸収性物品。
【請求項２】
前記腰ベルト（３）の第１及び第２ベルト部分（７，８）のうち１つの第１端がグリップ部分（９）を含むことを特徴とする請求項１に記載の吸収性物品。
【請求項３】
前記グリップ部分（９）は、前記腰ベルト（３）の第１及び第２ベルト部分（７，８）の衣類面側に近い領域の色、テクスチャー又は形状とは、異なる色、テクスチャー又は形状で備えられていることを特徴とする請求項２に記載の吸収性物品。
【請求項４】
前記吸収性セクション（２）の第２端部分（２ｃ）の衣類面側は、該第２端部分（２ｃ）の端部に配置されるグリップ部分（２０，２２）を具備する視覚合図部分（１８）を含み、該グリップ部分は、前記吸収性セクション（２）の第２端部分の衣類面側に近接する領域と、異なる、色、模様、テクスチャー、又は形状を有することを特徴とする請求項１から３のいずれか１つに記載の吸収性物品。
【請求項５】
前記腰ベルト（３）の第１及び第２ベルト部分（７，８）の利用者面側並びに前記吸収性セクション（２）の第１端部分（２ｂ）の利用者側は、吸収性セクションの中央部分（２ａ）とは異なる視覚外観を有することを特徴とする請求項１から４のいずれか１つに記載の吸収性物品。
【請求項６】
前記腰ベルト（３）の衣類面側及び前記腰ベルトの利用者面側は、同じ色、模様、又はテクスチャーで提供されることを特徴とする請求項１から５のいずれか１つに記載の吸収性物品。
【請求項７】
前記腰ベルト（３）の衣類面側及び前記腰ベルトの利用者面側は、異なる色、模様、又はテクスチャーで提供されることを特徴とする請求項１から５のいずれか１つに記載の吸収性物品。
【請求項８】
該吸収性セクション（２）の第２端部分（２ｃ）を前記腰ベルト（３）に固定するための締め具装置（１２，１３）は、第１及び第２ベルト部分（７，８）の衣類面側と同じ外観を有していることを特徴とする請求項１から６のいずれか１つに記載の吸収性物品。
【発明の詳細な説明】
【技術分野】
【０００１】
本願発明は、吸収性物品のための腰ベルトに関する。さらに、詳しくは、本願発明は、より簡単な着用のための視覚的補助を備えた吸収性物品のための腰ベルトに関する。
【背景技術】
【０００２】
使い捨ておむつの形態の吸収性物品では、通常、おむつには、おむつの１つの端部領域の両側に固定されている一対の締め具タブを含む締め具システムが備えられていることが知られている。締め具タブは、おむつの他方の端部領域に配置される受取手段に係合することが意図されている。そのようなおむつは、着用者が横たわったとき、着用者上に配置される。上述の締め具配置は、おむつを幼い子供又は赤ちゃんに着用させるときは、満足のいくものであるが、失禁おむつを大人の着用者に適合させようと試みるときは問題が生じうる。これは、着用者自身でおむつを着用しようとするときの着用者にとって、又は、着用者が立っている位置で、オムツを適用とすることから顕著な利益を得る介護者にとって、特に当てはまる。
【０００３】
この問題を解決するため、ベルトが付いた吸収性物品が開発されており、着用者又は介護者が立った位置でオムツを適用することを可能とするものである。そのようなベルトつき物品の例が、特許文献１で記載されており、ここに参照により組み込まれる。典型的には、吸収性物品は、吸収性物品に一体的に取り付けられたベルトを有している。ベルトは、吸収性セクションの後ろ端のいずれかの側に延在する２つのベルト部分を有してもよい。２つのベルト部分は、着用者の腰の周りに固定されることが意図されている一方、吸収性セクションの前端は、着用者の足の間にぶら下がっている。一旦ベルト部分が一緒に接続されると、足の間の吸収性セクションを引き上げるために、及び、吸収性セクションの自由端をベルト部分に取り付けるために、着用者は彼又は彼女の足の間に手を伸ばすことができる。
【０００４】
同様に、物品は、ベルトが製品の前部分に固定され、着用者の背部辺りに固定されるように、製造されることができる。この場合においては、吸収性セクションは、前部分にぶらさがり、そして背部でベルトに固定される。このタイプの製品は、特に、認知症などを有している患者を介護する介護者にとって有用である。このタイプの構成は、物品を自身で着用する着用者にとっては理想的ではないことが知られるべきである。
【０００５】
失禁の問題が含まれている場合には、この問題に悩んでいる人は、大抵、老人であり、様々な種類の物理的障害を有していることが理解されるであろう。結果として、彼らは、自身でベルトを締めることについてより困難性を有しており、大抵、物品を適合させるための人適な補助を必要とする。しかしながら、介護者及び利用者の両方が、どのように製品が着用されるべきであるかについての理解に困難性を有していることが発見された。ベルトの付いた物品に関して、重要な側面は、介護者又は利用者は、長く延在する部分は、ベルトのように腰の周りに取り付けられると理解することである。着用の説明が、物品のパッケージに含まれているにもかかわらず、その指示は大抵無視されるか捨てられる。そこで、利用者は、製品に、不満を有するようになる。
【先行技術文献】
【特許文献】
【０００６】
【特許文献１】米国特許第６３４２０５０号明細書
【発明の概要】
【発明が解決しようとする課題】
【０００７】
このように、当業者は、より直感的に利用者に着用されることができる腰ベルト製品を提供する必要がある。
【課題を解決するための手段】
【０００８】
本発明の第１の側面によれば、吸収性物品は、吸収性セクションを具備し、該吸収性セクションは第１及び第２の端部分とそれらの間の中央部分とを有し、該吸収性セクションに取り付けられた腰ベルトを具備し、該腰ベルトは該吸収物品の着用者の周りに互いに固定するために吸収性セクションの第１端部分の各側に延在する第１及び第２ベルト部分を有し、該吸収性セクションの第２端部分は該吸収性セクションの第２端部分を該腰ベルトに固定するための締め具装置を含み、ここで衣類面側の腰ベルトの第１及び第２ベルト部分は、該吸収性セクションの中央部分とは異なる視覚的外観を有し、該吸収性セクションの第１端部分の衣類面側は、視覚合図（ｃｕｅ）部分を含む。
【０００９】
本発明の第２の側面によれば、吸収性物品は、吸収性セクションを具備し、該吸収性セクションは第１及び第２の端部分とそれらの間の中央部分とを有し、該吸収性セクションに取り付けられた腰ベルトを具備し、該腰ベルトは該吸収物品の着用者の周りに互いに固定するために吸収性セクションの第１端部分の各側に延在する第１及び第２ベルト部分を有し、該吸収性セクションの第２端部分は該吸収性セクションの第２端部分を該腰ベルトに固定するための締め具装置を含み、ここで衣類面側の腰ベルトの第１及び第２ベルト部分は、該吸収性セクションの中央部分とは異なる視覚的外観を有し、該吸収性セクションの第２端部分の衣類面側は、視覚合図部分を含む。
【００１０】
本発明の第３の側面によれば、吸収性物品は、吸収性セクションを具備し、該吸収性セクションは第１及び第２の端部分とそれらの間の中央部分とを有し、該吸収性セクションに取り付けられた腰ベルトを具備し、該腰ベルトは該吸収物品の着用者の周りに互いに固定するために吸収性セクションの第１端部分の各側に延在する第１及び第２ベルト部分を有し、該吸収性セクションの第２端部分は該吸収性セクションの第２端部分を該腰ベルトに固定するための締め具装置を含み、ここで衣類面側の腰ベルトの第１及び第２ベルト部分は、該吸収性セクションの中央部分とは異なる視覚的外観を有し、該吸収性セクションの第１及び第２端部分の衣類面側は、視覚合図部分を含む。
【００１１】
本願発明のそしてさらなる特徴は、腰ベルトの第１及び第２ベルト部分の衣類面側及び吸収性セクションの第１端部分の衣類面側の視覚合図部分が、連続的なベルトの外観を与えるため、着色され、模様が施され、又はテクスチャー加工されていることである。さらに、吸収性セクションの第２端部分の衣類面側の視覚合図部分は、吸収性セクションの第１端部分の衣類面側の視覚合図部分と、同じ色、模様、又はテクスチャーを有してもよい。これらのさらなる特徴は、上の３つの側面にそれぞれ適用する。
【００１２】
さらにまた本願発明の特徴は、腰ベルトの第１及び第２ベルト部分のうち１つの第１端がグリップ部分を含むことである。グリップ部分は、腰ベルトの第１及び第２ベルト部分の衣類面側に近い領域とは、異なる色、テクスチャー又は形状で備えられていてもよい。これらのさらなる特徴は、上の３つの側面にそれぞれ適用する。
【００１３】
本願発明のさらに別の特徴は、吸収性セクションの第２端部分の衣類面側が、吸収性セクションの中央部分とは異なる外観を有して備えられている視覚合図部分を含むことである。吸収性セクションの第２端部分の衣類面側の視覚合図部分は、グリップ部分であってもよく、第２端部分の端に配置され、及び／又は、第２端部分に亘って延在して着色され、模様が施され又はテクスチャー加工されているセクションである。グリップ部分は、吸収性セクションの第２端部分の衣類面側に近接する領域と、異なる、着色、模様、テクスチャー、形状を有してもよい。これらのさらなる特徴は、上の３つの側面にそれぞれ適用する。
【００１４】
本願発明のまださらなる別の特徴は、腰ベルトの第１及び第２ベルト部分の利用者面側並びに吸収性セクションの第１端部分の利用面者側は、吸収性セクションの中央部分とは異なる視覚外観を有する。さらに、腰ベルトの衣類面側及び腰ベルトの利用者面側は、同じ色、模様、又はテクスチャー、又は異なる色、模様、又はテクスチャーで提供されてもよい。吸収性セクションの第２端部分を腰ベルトに固定するための締め具装置は、第１及び第２ベルト部分の衣類面側と同じ外観を有してもよい。加えて、視覚指示が、吸収性物品上に含まれていてもよく、ここでその視覚指示に描かれた物品は、実際の吸収性物品と同じ外観を有する。これらのさらなる特徴は、上の３つの側面にそれぞれ適用する。
【００１５】
上述された特徴のそれぞれは、どのように物品を着用するかを利用者に指示する拡張された効果のため、それのみ又は任意の可能な組み合わせを取ってもよい。
【００１６】
添付の図面は図示された表現を提供し、ここに記載されて表現される実施形態をより完全に記載するために使用され、これらの図面中のそれら及びそれらの固有の利点を当業者にとってよりよく理解するために使用されることができる。これらの図面において、似た参照番号は対応する要素と同一である。
【図面の簡単な説明】
【００１７】
【図１】本願発明による、ベルト付き吸収性物品の利用者面側の上平面図である。
【図２】本願発明による、吸収性物品の前部分の衣類面側の部分図並びにベルト部分の端部分の衣類面側の部分図である。
【図３】本願発明による、視覚指示を表示するベルト付吸収性物品の後ろ部分の衣類面側の部分図である。
【図４】本願発明による、物品の吸収性レベルの情報を提供するベルト付き吸収性物品の衣類面側の股部分の部分図である。
【図５】本願発明による、ベルト付き吸収性物品の衣類面側の上平面図である。
【発明を実施するための形態】
【００１８】
図１及び５は、通常１で示される吸収性物品を示し、吸収性物品は、吸収性セクション２、３で通常示されるベルト部分、及び第１端部４及び第２端部５を含む。第１端部４は、吸収性物品１の後ろまたは前のいずれかにある。ベルト３は、第１または第２端部分２ｂ又は２ｃの１つに取り付けられる１つの連続的なベルト３であるか、第１端部分２ｂ又は第２端部分２ｃのそれぞれの側にそれぞれ取り付けられる２つの分離したベルト部分７及び８であることができる。本願発明は、どのようにベルト付吸収物品が着用されるべきかを決定するために視覚合図を提供して利用者又は介護者を助けることに関連する。
【００１９】
図１に関して、吸収性物品１の利用者面側は、ベルト部分３の端部に配置される締め具装置６を含む。好ましくは、締め具装置６は、ベルト部分７又はベルト部分７に配置されるループストリップのいずれかに固定されることができるストリップ状のフック部材である。しかしながら、限定されるわけではないが、接着剤、圧力ボタン、ボタン及びボタンホール、結び目、及びひもを含む、他の種類の締め具装置が可能であることが理解されるべきである。締め具装置６は、たとえば、ベルト３の利用者面側上に近接する領域又は内側とは異なる色又は模様のような、視覚的に区別ができる特徴を含んでいてもよい。
【００２０】
物品１の吸収性セクション２の第２端部２ｃに配置されたのは、締め具装置１２及び１３である。好ましくは、締め具装置１２及び１３は、ベルト３に直接的に固定されることができる可撓性のストリップ状のフック要素である。しかしながら、限定されるわけではないが、接着剤、圧力ボタン、ボタン及びボタンホール、結び目、及びひもを含む、他の種類の締め具装置が可能であることが理解されるべきである。締め具装置１２及び１３は、また、たとえば、第２端部分２ｃの利用者面側上に近接する領域とは異なる色又は模様のような、視覚的に区別ができる特徴を含んでいてもよい。
【００２１】
代替的に、締め具装置１２及び１３は、第２端部分２ｃの利用者側にわたって配置されている１つの連続的に着色されたバンドであってもよい（示されていない）。連続的に着色されたバンドは、好ましくは、ベルト３の衣類面側と同じ色及び／又は模様を有している。同様に、締め具装置６、１２及び１３は、好ましくは、ベルト３の衣類面側と同じ色及び／又は模様を有してもよい。この方法において、利用者は、内部締め具装置をベルト３の衣類面側又は外部にマッチさせるように導かれる。
【００２２】
ベルトを固定する上でさらなる助けになるために、ベルト部分７又は８の１つがグリップ部分を含んでもよい。図２及び５を参照して、ベルト部分８の端部は、好ましくは、グリップ部分９を含むが、ベルト部分７もグリップ部分を有してもよいことが理解されるべきである。グリップ部分９は、利用者が、他のベルト部分７にそれを取り付けるためのベルト部分８を握るように導く。そのように、グリップ部分９は、視覚的及び／又はテクスチャー的にその近くの領域とは区別される領域である。好ましくは、グリップ部分９は、利用者が直感的にグリップ位置でベルト部分８を握るように導くような、異なる形状、テクスチャー又は色を有している。したがって、ベルトを利用者の腰周りに締めるとき、利用者又は介護者はグリップ位置でベルト部分８を握るように導かれる。グリップ部分９は、フックストリップの位置の／の近くの、ベルト３の縁部の近くに配置されるが対抗側上ではない。すなわち、グリップ部分９が、好ましくは、衣類面側に配置される一方、ベルト部分８の対抗側上では、締め具装置６が利用者側に位置される。代替的に、グリップ部分９は、図１において、例えば示されているように、ベルト部分８の利用者面側上及び、図５において、例えば示されているように、ベルト部分８の衣類面側上の両方に備えられていてもよい。
【００２３】
図５を参照して、ベルト３の衣類面側（すなわち、ベルト部分７及び８）は、好ましくは、吸収性セクション２の中央部分２ａからベルト３を区別する外観を有している。すなわち、ベルト３の衣類面側は、着色され、模様がなされ、及び／又はテクスチャーがなされ、吸収性セクション２の中央部分２ａとは異なる色、模様、及び／又はテクスチャーであってよい。加えて、視覚合図部分１５が、物品１の吸収性セクション２の第１端部分２ｂに備えられてもよい。その視覚合図部分１５は、吸収性セクション２の中央部分２ａとは異なる視覚外観を有する領域として規定される。例えば、視覚合図部分１５は、部分１５を中央部分２ａから区別する色、模様及び／又はテクスチャーを含んでもよい。視覚合図部分１５の幅は、好ましくは、ベルト部分７と少なくとも同じ幅であることが好ましいが、デザインの優先傾向に応じて、わずかに大きく又は小さくしてもよい。そのように、部分７、８及び１５は、実際の、連続的なベルトの外観を与え、吸収性セクション２の中央部分２ａから分離されて、部分７及び８がベルトとして形成されてベルトとして一緒に締められるべきとする視覚合図を提供する。
【００２４】
しかしながら、部分７、８及び１５が連続的なベルトである外観を与える限りにおいて、部分７、８及び１５は、他の模様、色及び／又はテクスチャーを含んでもよい。すなわち、部分７、８及び１５は、外観では同一でないとしてよいが、部分７、８及び１５がなお連続的なベルトとする視覚的合図を与えてもよい。加えて、ベルト部分７及び８の衣類面側全部が、視覚的に異なる必要はなく、利用者の腰の回りにベルト３を着用する上で可視的になりうる部分だけでよい。例えば、ベルト部分７の端部分は、視覚的に異なる必要はない。なぜなら利用者の腰周りにベルト３を着用する上で、ベルト部分７の端部分は視覚から隠れているからである。加えて、異なる色、模様及び／又はテクスチャーが異なる寸法及び／又は吸収性レベルを示すように使われてもよい。
【００２５】
図２及び５を続いて参照して、吸収性物品１の衣類面側の吸収性セクション２の第２端部分２ｃは、視覚合図部分を含んでもよい。その視覚合図部分は、吸収性セクション２の中央部分２ａとは異なる視覚的外観を有する領域として規定されている。例えば、視覚合図部分は、第２端部分２ｃの前を渡って延在する、着色され、模様が施され又はテクスチャーが施されたセクション１８であってよい。この関連で、セクション１８は、視覚合図部分１５と同じ色／模様／テクスチャーを有してもよい。これは、着色されたベルト領域で囲まれる本体を備える添付された物品１を提供する。しかしながら、着色され、模様が施され又はテクスチャーが施されたセクション１８が提供される必要はないことが理解されるべきである。
【００２６】
好ましくは、ベルト部分７及び８は、着色前の不織布繊維から製造される。代替的に、ベルト部分７及び８は、白であるか、布に印刷された又は押印された適切な色、模様、及び／又はテクスチャーを備えることができる。同様に、視覚合図部分１５及び１８は、好ましくは、色又は模様を吸収性物品１に印刷により、及び／又は、付けること（ａｐｐｌｙｉｎｇ）により、又はテクスチャーの場合には、テクスチャーを押印することにより、生成される。典型的には、吸収性物品１は、白であり、そして着色、模様、及び／又はテクスチャーが白の吸収性物品１に印刷されるか又は押印される。代替的に、視覚合図部分１５及び１８は、吸収性物品１の製造工程中に付けてもよい。
【００２７】
図２及び５を続いて参照して、グリップ部分２０及び２２が、第２端部分２ｃの衣類面側上に備えられてもよい。グリップ部分２０及び２２は、利用者がその締め付けられるベルト３に取り付けるための物品１の第２端部分２ｃをグリップするように導く。そのように、グリップ部分２０及び２２は、近くの領域から視覚的に及び／又はテスクチャー的に区別できる領域である。好ましくは、グリップ部分２０及び２２は、直感的に利用者が吸収性セクション２の第２端部分２ｃをグリップ位置でグリップするように導くため、異なる形状、テクスチャー、又は色を有する。したがって、利用者又は介護者は、吸収性セクション２を、利用者の腰周りにすでに締め付けられているベルト３に締め付けるときに、第２端部分２ｃをグリップするように導かれる。加えて、グリップ部分２０及び２２は、視覚的に又はテクスチャー的に、セクション１８とは異なってもよく、セクション１８のさらなる視覚合図部分として作用してもよい。例えば、セクション１８は、着色されていないか、又は白であってよいが、その際グリップ部分２０及び２２は、視覚合図部分として作用する。
【００２８】
グリップ部分２０及び２２は、締め付け装置１２及び１３の位置で／近くで第２端部分２ｃの端部側に好ましくは配置されるが、対抗側には配置されない。すなわち、グリップ部分２０及び２２は、好ましくは、第２端部分２ｃの衣類面側に配置される一方、第２端部分２ｃの利用者面側では、締め付け装置１２及び１３は直接的に反対側に配置される。代替的に、グリップ部分２０及び２２は、第２端部分２ｃの衣類面側及び第２端部分２ｃの利用者面側の両方に備えられてもよい。加えて、グリップ部分２０及び２２並びにベルト３上のグリップ部分９は、着用のため物品１がグリップされるべきところという一般的印象を与えるために、同じ色、模様、又はテクスチャーを有していてもよく、。
【００２９】
使用の際、２つのベルト部分７及び８は、着用者の腰周りに、締め付けられるように意図されている一方、吸収性セクション２の第２端部分２ｃは、着用者の足の間でぶらさがる。いったんベルト部分７及び８が一緒に接続されると、着用者は、彼の又は彼女の足の間に手を伸ばし、そのグリップ部分２０及び２２により吸収性セクション２を掴み、それを彼の又は彼女の足の間に引き上げ、そして吸収性セクション２の第２端部分２ｃをベルト３に取り付ける。加えて、ベルト３の外部の色及び／又は外観と好ましくマッチする着色された締め付け装置１２及び１３が、吸収性セクション２の第２端部分２ｃがベルト３に取り付けられるべきとするさらに別の視覚合図を提供する。
【００３０】
図１に戻って参照して、吸収性物品１の利用者面側をさらに記載する。吸収性物品１の衣類面側のように、利用者面側のベルト部分７及び８は、視覚的に異なっていてもよい。しかしながら、利用者面側の部分７及び８は、他の模様、色、及び／又はテクスチャーを含んでもよいことが理解されるべきである。
【００３１】
ベルトをさらに区別するため、図５に示されているように、ベルト３のベルト部分７及び８の衣類面側は、図１で示されているような、ベルト部分７及び８の利用者面側とは、異なる色、模様及び／又はテクスチャーから製造されてもよい。これは、ベルト３が利用者の腰周りにどのように固定されるべきかについてさらに別の視覚合図を提供するかもしれない。代替的に、ベルト部分７及び８の衣類面側及び利用者面側の両方は、同じ色、模様及び／又はテクスチャーで提供されることができる。
【００３２】
異なる色を使用する代わりに、ベルト３及び／又は視覚合図部分１５及び１８が、物品１の吸収性セクション２の中央部分２ａとは視覚的に異なるように見える限り、他の種類の区別模様又はテクスチャーが使用されることができる。例えば、ベルト３及び／又は視覚合図部分１５及び１８が模様を施されてもよく、一方、吸収性セクション２の中央部分２ａは、そうされないか又は逆にされるかでもよい。加えて、ベルト３及び／又は視覚合図部分１５及び１８は、吸収性セクション２の中央部分２ａとは異なる色で陰影がつけられてもよい。
【００３３】
図３及び５を参照して、物品を使用するための視覚指示４２は、吸収性セクション２又はベルト３の一部上に設けられていてもよい。好ましくは、視覚指示４２は、一連の絵図であり、物品を着用するための基本ステップを示している。他の種類の指示は、可能であり、例えば、文字指示単独又は絵の指示を伴った文字指示とすることができる。加えて、指示は、物品の特定の構造及び着用に応じて変えてもよい。したがって、本願発明は、好ましい実施形態で記載された絵の指示に限られない。加えて、指示は、さらに詳細であってもよく、詳細ではなくてもよく、あるいは物品の処分に関連してもよい。
【００３４】
その指示は、物品１上の様々な場所に配置されることができる。好ましくは、その指示４２は、図５で示されているように、吸収性セクション２の第１端部分２ｂの衣類面側上に置かれる。しかしながら、着用者又は介護者に比較的可視である限り、指示は、物品上のいずれの場所に配置されてもよい。
【００３５】
指示４２は、吸収性セクション２の第２端部分２ｃに沿った腰縁の内側上に配置されてもよい。この実施形態において、一旦物品１が利用者の足の間に配置されると、指示４２は、利用者に可視である。指示４２は、物品の着用の進行中に、指示が工程中でその特定の位置で可視になるように、物品上に戦略的に配置されてもよい。例えば、指示４２は、グリップ部分９、２０、及び／又は２２の１つに付けられてよい。図３に示されているように、絵の指示４２は、正確に実際の物品のように、着色され、模様が施され、又はテクスチャーがなされてもよい。すなわち、着色され、模様が施され、又はテクスチャーがなされたベルト及び他の部分は、同様に、さらに明確にどのように物品を使用するかすら示すために視覚指示４２で表されてよい。絵の指示のより詳細な議論が、この中に参照により組み込まれる、米国特許出願第１２／１８６８９０号明細書に見出される。
【００３６】
図４及び５を参照して、物品１の吸収性インジケーター５０が、好ましくは股部分５２に沿った吸収性セクション２の中間にある折り目に含まれてもよい。好ましくは、吸収性インジケーター５０は、物品が折りたたまれる位置にあるときに、吸収性レベル５０が容易に物品から読まれうるような位置及び寸法に配置される。すなわち、物品が例えば、養護施設の棚上で横たわっているとき、そのインジケーター５０は明確に可視である。
【００３７】
用語「吸収性物品」は、失禁、特に大人の失禁、に特に関連して使用され、本発明は、この特定の使用又はそれにより含蓄されたいずれか特定の寸法又は種類の吸収性物品に限られない。上述の物品及び方法は、乳幼児又は子供のおむつに使用されることができる。
【００３８】
本願発明はそれらの好ましい実施形態に関連して記載されているが、当業者により、特に記載されていない追加、削除、修正及び置換が、添付の請求項で規定される本発明の精神及び範囲から離れることなくなされることが理解されるであろう。
【符号の説明】
【００３９】
１  吸収性物品
２  吸収性セクション
２ａ  中央部分
２ｂ  第１端部分
２ｃ  第２端部分
３  腰ベルト
４  第１端部
５  第２端部
６  締め具装置
７  ベルト部分
８  ベルト部分
９  グリップ部分
１２  締め具装置
１３  締め具装置
１５  視覚合図部分
１８  セクション
２０  グリップ部分
２２  グリップ部分
４２  視覚指示
５０  吸収性インジケーター
５２  股部分
【図１】
0005896896.tif 000002
【図２】
0005896896.tif 000003
【図３】
0005896896.tif 000004
【図４】
0005896896.tif 000005
【図５】
0005896896.tif 000006